(57)【要約】【目的】非通紙部昇温を低く抑えるとともに、発生した非通紙部昇温を速やかに緩和することができる定着装置を提供すること。【構成】定着ローラ１０ａ及び加圧ローラ１０ｂと、定着ローラ１０ａの内部に配置されたメインヒータ３７とサブヒータ３８と、定着ローラ１０ａの温度を検知するための複数のサーミスタ３９ａ，３９ｂと、該サーミスタ３９ａ，３９ｂの出力に基づいて前記メインヒータ３７とサブヒータ３８への通電を制御する制御する制御装置４０ｂと、サーミスタ３９ａ，３９ｂによって検知された定着ローラ温度を演算する演算装置４０ａと、を備える定着装置１０において、複数のサーミスタ３９ａ，３９ｂによって検知された定着ローラ１０ａの検知温度を演算装置４０ａで演算し、その結果に応じて複数のメインヒータ３７とサブヒータ３８の中から定着ローラ１０ａを加熱するものを選択する。【選択図】　　　図２
2004126134.tif 000002
【特許請求の範囲】
【請求項１】
互いに圧接されて回転自在に配置された定着体及び加圧体と、少なくとも定着体の内部に配置された複数の加熱手段と、定着体の温度を検知するための複数の温度検知体と、該温度検知体の出力に基づいて前記加熱手段への通電を制御する制御する制御手段と、温度検知体によって検知された定着体温度を演算する演算手段と、を備え、未定着画像を担持する記録媒体を定着体及び加圧体によって狭持搬送して加熱及び加圧することによって未定着画像を記録媒体に定着させる定着装置において、
複数の温度検知体によって検知された定着体の検知温度を演算手段で演算し、その結果に応じて複数の加熱手段の中から定着体を加熱する加熱手段を選択することを特徴とする定着装置。
【請求項２】
複数の加熱手段の定着体軸方向における発熱分布が互いに異なることを特徴とする請求項１記載の定着装置。
【請求項３】
複数の加熱手段は２個であり、第１の加熱手段は定着体軸方向の中央部に発熱ピークを持ち、第２の加熱手段は定着体軸方向の端部に発熱ピークを持つことを特徴とする請求項１又は２記載の定着装置。
【請求項４】
複数の温度検知体は、定着体軸線方向の中央部と端部の２箇所に配置されていることを特徴とする請求項１〜３の何れかに記載の定着装置。
【請求項５】
前記演算手段は、定着体軸線方向の中央部と端部で検出された温度の高低を判定することを特徴とする請求項４記載の定着装置。
【請求項６】
定着体軸線方向の中央部で検出された温度が定着体軸線方向の端部で検出された温度より高いときは、定着体軸方向の両端部に発熱ピークを持つ加熱手段で定着体温度が目標温度となるように加熱を制御し、定着体軸線方向の中央部で検出された温度が定着体軸線方向の端部で検出された温度以下のときは、定着体軸方向の中央部に発熱ピークを持つ加熱手段で定着体温度が目標温度となるように加熱を制御することを特徴とする請求項５記載の定着装置。
【請求項７】
複数の温度検知体によって検知された定着体の検知温度を演算手段で演算し、複数の加熱手段の中から定着体を加熱する加熱手段を選択すタイミングは定着装置が待機状態にあるときであることを特徴とする請求項１〜６の何れかに記載の定着装置。
【発明の詳細な説明】
【０００１】
【発明の属する技術分野】
本発明は、画像形成装置において転写材上に形成されたトナー画像を溶融定着する定着装置に関するものである。
【０００２】
【従来の技術】
電子写真方式を採用する従来の複写機、プリンタ等の画像形成装置にあっては、その多くが定着手段として熱定着方式を採用する定着装置を備えている。
【０００３】
斯かる定着装置は、アルミニウム、鉄、ステンレス等の芯金の表面に耐熱離型層を被覆して成る定着体としての定着ローラと、同様にアルミニウム、鉄、ステンレス等の芯金の周囲に耐熱弾性層を形成して成る加圧体としての加圧ローラとを備えており、定着ローラの芯金内に配設した加熱手段としてのハロゲンヒータによって定着ローラを加熱する構成が採用されている。
【０００４】
又、斯かる定着装置にあっては、加圧ローラがバネ等により定着ローラに圧接されてニップを形成しており、未定着のトナー像を担持した記録媒体である記録材が前記ニップで挟持搬送され、加熱及び加圧されることによってトナー像が記録材に定着される。
【０００５】
このような定着装置としては、一般に、定着ローラのみにハロゲンヒータを持つものと、定着ローラ及び加圧ローラの双方にハロゲンヒータを持つものとが知られているが、定着ローラにのみハロゲンヒータを持つ定着装置の方が構成が簡単であり、定着装置の小型化、低コスト化の面でも有利である。
【０００６】
斯かる定着装置においては、定着ローラの軸線方向における発熱分布が均一な単一のハロゲンヒータによって定着ローラ表面の温度分布を調整する場合、小サイズ紙をニップに連続通紙した際の非通紙部昇温を抑えることは困難であった。それは、最大サイズ紙を通紙しているときに、定着ローラ上の長手方向温度分布を均一にするには、ローラ長手方向全体に熱を与える必要があるが、小サイズ紙をニップに連続通紙した際の非通紙部昇温を抑えるには、非通紙部に熱を与えないことが必要であるため、同時にこれらを満たそうとすれば矛盾を生じ、何れかの点を妥協した設計を行わざるを得なかった。
【０００７】
そこで、この矛盾を解決する手段として、定着ローラの軸線方向における発熱分布が異なる２つのハロゲンヒータを設け、各々のヒータを時分割制御にて点灯する方法が提案されている。この方法では、軸線方向中央部をメインに加熱するハロゲンヒータと、軸線方向両端部を加熱するハロゲンヒータが定着ローラ内に設置されており、各々のヒータはＣＰＵにより駆動制御が行われ、各ヒータを交互に点灯させることができる。そして、通紙される紙サイズに応じて軸線方向における最適な温度分布が得られるよう各ヒータの独立制御が行われる。
【０００８】
【発明が解決しようとする課題】
しかしながら、上記従来例のように定着ローラの軸線方向における発熱分布が異なる２つのハロゲンヒータを設け、各々のヒータを交互に時分割制御しても、小サイズ紙をニップに連続で多量に通紙した際の非通紙部昇温を完全に抑えることはできない。このため、非通紙部昇温で通紙後の定着ローラ軸線方向において温度分布に不均一が発生して均一分布になるのに時間が掛かり、非通紙部昇温が緩和されないうちに定着を行うと非通紙部でトナーのホットオフセットという画像不良が発生したり、均一分布になるまでユーザーを待たせる等の不便が発生する等の問題があった。
【０００９】
本発明は上記問題に鑑みてなされたもので、その目的とする処は、非通紙部昇温を低く抑えるとともに、発生した非通紙部昇温を速やかに緩和することができる定着装置を提供することにある。
【００１０】
【課題を解決するための手段】
上記目的を達成するため、請求項１記載の発明は、互いに圧接されて回転自在に配置された定着体及び加圧体と、少なくとも定着体の内部に配置された複数の加熱手段と、定着体の温度を検知するための複数の温度検知体と、該温度検知体の出力に基づいて前記加熱手段への通電を制御する制御する制御手段と、温度検知体によって検知された定着体温度を演算する演算手段と、を備え、未定着画像を担持する記録媒体を定着体及び加圧体によって狭持搬送して加熱及び加圧することによって未定着画像を記録媒体に定着させる定着装置において、複数の温度検知体によって検知された定着体の検知温度を演算手段で演算し、その結果に応じて複数の加熱手段の中から定着体を加熱する加熱手段を選択することを特徴とする。
【００１１】
請求項２記載の発明は、請求項１記載の発明において、複数の加熱手段の定着体軸方向における発熱分布が互いに異なることを特徴とする。
【００１２】
請求項３記載の発明は、請求項１又は２記載の発明において、複数の加熱手段は２個であり、第１の加熱手段は定着体軸方向の中央部に発熱ピークを持ち、第２の加熱手段は定着体軸方向の端部に発熱ピークを持つことを特徴とする。
【００１３】
請求項４記載の発明は、請求項１〜３の何れかに記載の発明において、複数の温度検知体は、定着体軸線方向の中央部と端部の２箇所に配置されていることを特徴とする。
【００１４】
請求項５記載の発明は、請求項４記載の発明において、前記演算手段は、定着体軸線方向の中央部と端部で検出された温度の高低を判定することを特徴とする。
【００１５】
請求項６記載の発明は、請求項５記載の発明において、定着体軸線方向の中央部で検出された温度が定着体軸線方向の端部で検出された温度より高いときは、定着体軸方向の両端部に発熱ピークを持つ加熱手段で定着体温度が目標温度となるように加熱を制御し、定着体軸線方向の中央部で検出された温度が定着体軸線方向の端部で検出された温度以下のときは、定着体軸方向の中央部に発熱ピークを持つ加熱手段で定着体温度が目標温度となるように加熱を制御することを特徴とする。
【００１６】
請求項７記載の発明は、請求項１〜６の何れかに記載の発明において、複数の温度検知体によって検知された定着体の検知温度を演算手段で演算し、複数の加熱手段の中から定着体を加熱する加熱手段を選択すタイミングは定着装置が待機状態にあるときであることを特徴とする。
【００１７】
【発明の実施の形態】
以下に本発明の実施の形態を添付図面に基づいて説明する。
【００１８】
＜実施の形態１＞
図１は本発明に係る定着装置を備える画像形成装置の一例としてデジタル方式の４色フルカラー画像形成装置の概略構成を示す断面図である。
【００１９】
図１に示す画像形成装置は、装置本体下部に配設されるデジタルカラー画像プリンタ部（以下、単に「プリンタ部」と称する）Ｉと、装置本体上部に配設されたデジタルカラー画像リーダ部（以下、単に「リーダ部」と称する）ＩＩとを備えており、例えばリーダ部ＩＩで読み取った原稿Ｄの画像に基づいてプリンタ部Ｉによって記録材Ｐに画像を形成する。
【００２０】
次に、プリンタ部Ｉとリーダ部ＩＩの構成を簡単に説明する。
【００２１】
プリンタ部Ｉは、矢印Ｒ１方向に回転駆動される像担持体としての感光ドラム１を有している。そして、感光ドラム１の周囲には、その回転方向に沿って順に、一次帯電器（帯電手段）２、露光手段３、現像装置（現像手段）４、転写装置５、クリーニング器６、前露光ランプ７等が配置されている。又、転写装置５の下方、即ちプリンタ部Ｉの下半部には、記録材Ｐの給紙搬送部８が配置され、更に、転写装置５の上部には分離手段９が、又、分離手段９の下流側（記録材Ｐの搬送方向について下流側）には定着手段としての定着装置１０と排紙部１１が配置されている。
【００２２】
前記感光ドラム１は、アルミニウム製のドラム状の基体１ａと、その裏側を覆うＯＰＣ（有機光半導体）の感光体１ｂとを有し、不図示の駆動手段によって矢印Ｒ１方向に所定のプロセススピード（周速度）で回転駆動される。
【００２３】
又、前記一次帯電器２は、感光ドラム１に対向する部分が開口したシールドと、このシールドの内側に感光ドラム１の母線と平行に配置された放電ワイヤと、シールドの開口部に配置されて帯電電位を規制するグリッドとを有するコロナ帯電器である。又、この一次帯電器２は、不図示の電源によって帯電バイアスが印加され、これにより感光ドラム１表面を所定の極性と電位に均一に帯電する。
【００２４】
前記露光手段３は、後述のリーダ部ＩＩからの画像信号に基づいてレーザ光を発光するレーザ出力部（図示せず）と、レーザ光を反射するポリゴンミラー３ａと、レンズ３ｂと、ミラー３ｃとを有している。又、露光手段３は、このレーザ光が感光ドラム１表面を照射することによって感光ドラム１を露光し、感光ドラム１の露光部分の電荷を除去して該感光ドラム１上に静電潜像を形成する。尚、本実施の形態では、感光ドラム１の表面に形成される静電潜像は、原稿の画像に基づいてイエロー、シアン、マゼンタ、ブラックの４色に色分解され、それぞれの色に対応した静電潜像が順次形成されるようになっている。
【００２５】
前記現像装置４は、感光ドラム１の回転方向（矢印Ｒｌの方向）に沿って上流側から順に４個の現像器、即ち、それぞれ樹脂を基体としたイエロー、マゼンタ、シアン、ブラックの各色のトナー（現像剤）を収納した現像器４Ｙ，４Ｃ，４Ｍ，４Ｋを備えている。各現像器４Ｙ，４Ｃ，４Ｍ，４Ｋは、それぞれ感光ドラム１の表面に形成された静電潜像にトナーを付着させる現像スリーブ４ａを有し、静電潜像の現像に供せられる所定の色の現像器が偏心カム４ｂによって択一的に感光ドラム１表面に近接する現像位置に配置され、現像スリーブ４ａを介して静電潜像にトナーを付着させ、顕像としてのトナー像（可視画像）を形成するように構成されている。尚、現像に供せられる現像器以外の他の３色の現像器は、現像位置から退避するようになっている。
【００２６】
前記転写装置５は、表面に記録材Ｐを担持する転写ドラム（記録材担持体）５ａ、感光ドラム１上のトナー像を記録材Ｐに転写する転写帯電器５ｂ、記録材Ｐを転写ドラム５ａに吸着させるための吸着帯電器５ｃとこれに対向する吸着ローラ５ｄ、内側帯電器５ｅ、外側帯電器５ｆを有し、矢印Ｒ５方向に回転駆動されるように軸支された転写ドラム５ａの周面開口域には誘電対から成る記録材担持シート５ｇが円筒状に一体的に張設されている。尚、記録材担持シート５ｇとしては、ポリカーボネートフィルム等の誘電体シートを使用している。又、転写装置５は、転写ドラム５ａ表面に記録材Ｐを吸着して担持するように構成されている。
【００２７】
前記クリーニング器６は、記録材Ｐに転写されないで感光ドラム１表面に残った残留トナーを掻き落とすクリーニングブレード６ａと、掻き落としたトナーを回収するクリーニング容器６ｂとを備えている。
【００２８】
前露光ランプ７は、一次帯電器２の上流側に隣接して配置され、クリーニング器６によって清掃された感光ドラム１表面の不要な電荷を除去するものである。
【００２９】
給紙搬送部８は、大きさの異なる記録材Ｐを積載収納する複数の給紙カセット８ａ、該給紙カセット８ａ内の記録材Ｐを給紙する給紙ローラ８ｂ、多数の搬送ローラ、レジストローラ８ｃ等を有し、所定の大きさの記録材Ｐを転写ドラム５ａに供給するようになっている。
【００３０】
分離手段９は、トナー像転写後の記録材Ｐを転写ドラム５ａから分離するための分離帯電器９ａ、分離爪９ｂ、分離押し上げコロ９ｃ等を有している。
【００３１】
定着装置１０は、定着体としての定着ローラ１０ａと、該定着ローラ１０ａの内部に配設された加熱手段としてのハロゲンヒータである第１発熱体としてのメインヒータ３７及び第２発熱体としてのサブヒータ３８（図２参照）と、定着ローラ１０ａの下方に配置されて記録材Ｐを定着ローラ１０ａに押し付ける加圧体としての加圧ローラ１０ｂとを有している。
【００３２】
排紙部１１は、定着装置１０の下流に配置された搬送パス切り換えガイド１１ａ、排出ローラ１１ｂ、排紙トレイ１１ｃ等を有している。又、搬送パス切り換えガイド１１ａの下方には、１枚の記録材Ｐに対してその両面に画像形成を行うための搬送縦パス１１ｄ、反転パス１１ｅ、積載部材１１ｆ、中間トレイ１１ｇ、搬送ローラ１１ｈ，１１ｉ、反転ローラ１１ｊ等が配置されている。
【００３３】
更に、感光ドラム１の周囲における一次帯電器２と現像装置４との間には、感光ドラム１表面の帯電電位を検出する電位センサＳｌが配置され、又、現像装置４と転写ドラム５ａとの間には、感光ドラム１上のトナー像の濃度を検知する濃度センサＳ２が配置されている。
【００３４】
続いて、リーダ部ＩＩについて説明する。
【００３５】
プリンタ部Ｉの上方に配置されたリーダ部ＩＩは、原稿Ｄを載置する原稿台ガラス１２ａ、移動しながら原稿Ｄの画像面を露光走査する露光ランプ１２ｂ、原稿Ｄからの反射光を更に反射する複数のミラー１２ｃ、その反射光を集光するレンズ１２ｄ、該レンズ１２ｄからの光に基づいてカラー色分解画像信号を形成するフルカラーセンサ１２ｅ等を有している。カラー色分解画像信号は、不図示の増幅回路を経てビデオ処理ユニット（図示せず）によって処理された後、前記プリンタ部Ｉに送出される。
【００３６】
次に、以上の構成を有する画像形成装置の動作について簡単に説明する。尚、以下の説明においては、イエロー、シアン、マゼンタ、ブラックの順に４色フルカラーの画像を形成するものとする。
【００３７】
リーダ部ＩＩの原稿台ガラス１２ａに載置された原稿Ｄの画像は、露光ランプ１２ｂによって照射され、色分解されて先ずイエローの画像がフルカラーセンサ１２ｅによって読み取られ、読み取られた画像は所定の処理を施されて画像信号としてプリンタ部Ｉに送られる。
【００３８】
一方、プリンタ部Ｉでは、感光ドラム１が矢印Ｒｌ方向に回転駆動され、一次帯電器２によって感光ドラム１表面が均一に帯電される。そして、リーダ部ＩＩから送られてきた画像信号に基づいて露光手段３のレーザ出力部からレーザ光が照射され、ポリゴンミラー３ａ等を介して帯電済みの感光ドラム１表面を光像Ｅによって露光する。すると、感光ドラム１表面の露光を受けた部分は、電荷が除去され、これによりイエローに対応した静電画像が形成される。
【００３９】
現像装置４においては、イエローの現像器４Ｙが所定の現像位置に配置され、その他の現像器４Ｃ，４Ｍ，４Ｋは現像位置から退避される。感光ドラム１上の静電潜像は、現像器４Ｙによってイエローのトナーが付着され、顕像化されてトナー像となる。この感光ドラム１上のイエローのトナー像は、転写ドラム５ａに担持された記録材Ｐに転写される。この記録材Ｐは、原稿画像に適した大きさの記録材Ｐに対応する所定の給紙カセット８ａから給紙ローラ８ｂ、搬送ローラ、レジストローラ８ｃ等を介して所定のタイミングで転写ドラム５ａに供給される。このようにして供給された記録材Ｐは、転写ドラム５ａの表面に巻き付くように吸着されて矢印Ｒ５方向に回転し、転写帯電器５ｂによって感光ドラム１上のイエロートナー像が転写される。
【００４０】
尚、トナー像転写後の感光ドラム１は、クリーニング器６によって表面の残留トナーが除去され、更に前露光ランプ７によって不要な電荷が除去され、一次帯電器２から始まる次の画像形成に供される。
【００４１】
以上のリーダ部ＩＩによる原稿画像の読み取りから、転写ドラム５ａ上の記録材Ｐに対するトナー像の転写、更には感光ドラム１の清掃及び除電に至る各プロセスがイエロー以外の他の色、即ちシアン、マゼンタ、ブラックについても同様に行われ、転写ドラム５ａ上の記録材Ｐには、４色のトナー像が重なるようにして転写される。
【００４２】
而して、４色のトナー像の転写を受けた記録材Ｐは、分離帯電器９ａ、分離爪９ｂ等によって転写ドラム５ａから分離され、未定着のトナー像を表面に担持した状態で定着装置１０に搬送される。この記録材Ｐは、定着装置１０で定着ローラ１０ａ及び加圧ローラ１０ｂによって挟持搬送されて加熱及び加圧され、表面のトナー像が溶融固着されて定着される。そして、定着後の記録材Ｐは、排出ローラ１１ｂによって排紙トレイ１１ｃ上に排出される。
【００４３】
尚、記録材Ｐの両面に画像を形成する場合は、すぐに搬送パス切り換えガイド１１ａを駆動し、定着装置１０から排出された記録材Ｐを搬送縦パス１１ｄを経て反転パス１１ｅに一旦導いた後、反転ローラ１１ｊの逆転により、送り込まれた際の後端を先頭にして送り込まれた方向と反対向きに記録材Ｐを退出させ、中間トレイ１１ｇに収納する。その後、再度前述の画像形成プロセスによって記録材Ｐの他方の面に画像を形成した後、記録材Ｐを排紙トレイ１１ｃ上に排出する。
【００４４】
記録材Ｐの分離後の転写ドラム５ａにおいては、記録材担持シート５ｇ上への粉体の飛散付着、記録材Ｐ上のオイルの付着等を防止するために、記録材担持シート５ｇを介して相互に対向するファーブラシ１３ａとバックアップブラシ１３ｂ及びオイル除去ローラ１４ａとバックアップブラシ１４ｂによって清掃を行う。尚、このような清掃は、画像形成前若しくは画像形成後に行い、又、ジャム（紙詰まり）発生時には随時行う。
【００４５】
次に、本発明に係る前記定着装置１０の構成を図２に基づいて説明する。
【００４６】
図２は定着装置１０の構成を示す断面図であり、図示のように、トナー像と接触する定着ローラ１０ａは、中空で肉厚０．７ｍｍの鉄製の芯金３１上に、１．２ｍｍ厚のシリコーンゴム層３２、この外側に５０μｍ厚のＰＦＡ（テトラフルオロエチレン−パーフルオロアルキルビニルエーテル共重合体）チューブ層３３を形成して構成され、直径は４０ｍｍに設定されている。そして、この定着ローラ１０ａの内部には、メインヒータ３７とサブヒータ３８が設けられている。
【００４７】
又、定着ローラ１０ａの近傍であって、該定着ローラ１０ａの軸方向略中央部と端部には、定着体温度検知手段としてのサーミスタ３９ａ，３９ｂがそれぞれ配置されており、これらのサーミスタ３９ａ，３９ｂは演算装置４０ａを介して制御装置４０ｂに電気的に接続されている。又、前記メインヒータ３７とサブヒータ３８も制御装置４０ｂに電気的に接続されている。
【００４８】
一方、加圧ローラ１０ｂは、中実の鉄製の芯金３４上に、５ｍｍ厚のシリコーンゴム層３５と、更に更にその上に５０μｍ厚のＰＦＡチューブ層３６を形成して構成され、その直径は３０ｍｍに設定されている。
【００４９】
而して、定着ローラ１０ａと加圧ローラ１０ｂとは加圧機構（図示せず）によって総圧約３０ｋｇで加圧され、これらはプロセススピード１１０ｍｍ／ｓｅｃで回転している。ここで、定着ローラ１０ａの表面温度の制御温度は１９０℃とする。
【００５０】
以上の構成を有する定着装置１０では、未定着のトナー像を表面に担持した記録材Ｐが定着ローラ１０ａと加圧ローラ１０ｂとの間の定着ニップで挟持搬送され、このとき加圧及び加熱されてトナー像が記録材Ｐに定着される。
【００５１】
次に、前記メインヒータ３７とサブヒータ３８について図４を参照しながら説明する。
【００５２】
メインヒータ３７とサブヒータ３８の消費電力は共に６００Ｗであり、メインヒータ３７は、定着ローラ軸線方向における配光分布が長手方向中央部の１６０ｍｍの範囲より長手方向両端部側を１００％とすると該範囲内が１５０％になるよう構成されている。
【００５３】
他方、サブヒータ３８は、定着ローラ軸線方向における配光分布が長手方向中央部の１４０ｍｍの範囲内を１００％とすると該範囲外の長手方向両端部側が２３０％になるよう構成されている。尚、本実施の形態では、メインヒータ３７とサブヒータ３８の設置位置に関しては、サーミスタ３９ａを定着ローラ１０ａの表面の長手方向のほぼ中央部に当接させているため、該中央部に発熱ピークのあるメインヒータ３７をサーミスタ３９に近い位置に設置することによって温度制御の精度を上げている。
【００５４】
次に、メインヒータ３７及びサブヒータ３８の制御について説明する。
【００５５】
定着ローラ１０ａには、メインヒータ３７及びサブヒータ３８が芯金３１内に配設されている。
【００５６】
図４に示すように、定着ローラ１０ａに当接して定着ローラ軸線方向略中央部に配設されたサーミスタ３９ａと定着ローラ軸線方向端部に配設されたサーミスタ３９ｂとによって定着ローラ１０ａの表面温度が検知され、これらの検知温度を演算手段としての前記演算装置４０ａにより演算し、その結果に基づいて温度制御に使用するヒータを選択する。
【００５７】
又、定着ローラ軸線方向略中央部に配設されたサーミスタ３９ａの検知温度に基づいて制御装置４０によりメインヒータ３７又はサブヒータ３８の何れか一方が制御され、定着ローラ１０ａの表面温度が一定（目標温度）に維持されるように制御される。ここで、温度制御に使用するヒータの選択方法は次の通りである。
【００５８】
即ち、サーミスタ３９ａの検知温度がサーミスタ３９ｂの検知温度より高いときには、サブヒータ３８を選択する。又、サーミスタ３９ａの検知温度がサーミスタ３９ｂの検知温度以下のときには、メインヒータ３７を選択する。但し、画像形成装置起動時は、メインヒータ３７及びサブヒータ３８は常にオン状態であり、サーミスタ３９ａが目標温度である１９０℃を検知すると起動終了とし、メインヒータ３７及びサブヒータ３８は共にオフされ、待機状態へと移行する。
【００５９】
比較例として、定着ローラの中に配熱分布が定着ローラ軸線方向で均一な６００Ｗのヒータ１本のみを備えた定着装置において、小サイズな記録材としてＢ５サイズの紙を、紙の長辺が定着ローラ軸線と垂直になる方向に連続して１０００枚定着した場合について説明する。
【００６０】
定着動作中に定着ローラ軸線方向中央部のサーミスタ検知温度に基づいて１９０℃で温度制御すると、１０００枚定着が終了する頃には、定着ローラ端部に配置したサーミスタは２５０℃を検知した。１０００枚定着直後にＡ３サイズの記録材を定着したところ、Ｂ５サイズの非通紙部でトナーのホットオフセットが発生してしまった。その後、Ａ３サイズの紙を連続して１０枚定着したが、９枚目までホットオフセットが発生していた。
【００６１】
又、Ｂ５サイズの記録材１０００枚定着後、待機状態のまま放置して、定着ローラ軸線方向の温度分布が略１９０℃で均一になるのに要した時間は１５分であった。トナーのホットオフセットが発生しないのは、定着ローラの温度が２００℃以下のときであり、端部の温度が２００℃以下に下がるのに要する時間は１２分であった。従って、ホットオフセットを防止するためには、Ｂ５サイズの記録材を１０００枚定着した後には、次の定着動作を開始するのにユーザーを１２分待たせなければならず、不便である。
【００６２】
本実施の形態の場合、同様にＢ５サイズの紙を連続して１０００枚すると、１０００枚定着が終わる頃には、定着ローラ端部に配置したサーミスタ３９ｂは２２０℃を検知した。殆ど定着ローラ軸線方向の中央部に発熱のピークを持つメインヒータ３７しか使用していないが、中央部に対して３０℃非通紙部昇温してしまった。１０００枚定着直後に、Ａ３サイズの記録材を定着したところ、Ｂ５サイズの非通紙部でトナーのホットオフセットが僅かに発生してしまったが、続けて２枚目のＡ３サイズの記録材を定着したところ、ホットオフセットは発生しなかった。
【００６３】
又、Ｂ５サイズの記録材１０００枚定着後、待機状態のまま放置して、定着ローラ軸線方向の温度分布が略１９０℃で均一になるのに要した時間は３分であり、前記比較例の１／５の時間に短縮することができた。更に、トナーのホットオフセットが発生しない状態、つまり定着ローラの温度が２００℃以下の状態になるまでの時間は２分であり、前記比較例の１／６の時間に短縮することができた。よって、ホットオフセットを防止するためには、Ｂ５サイズの記録材を１０００枚定着した後には、ユーザーを２分だけ待たせれば良い。
【００６４】
以上のように、本実施の形態によれば、非通紙部昇温を抑えることができ、非通紙部昇温が発生してしまったとしても速やかに均一な温度分布に回復させることができる。
【００６５】
尚、本実施の形態においては、定着ローラ１０ａの内部にのみヒータ３７，３８を配置したが、都合に応じて加圧ローラ１０ｂ内にもヒータを配置して良い。
【００６６】
【発明の効果】
以上の説明で明らかなように、本発明によれば、互いに圧接されて回転自在に配置された定着体及び加圧体と、少なくとも定着体の内部に配置された複数の加熱手段と、定着体の温度を検知するための複数の温度検知体と、該温度検知体の出力に基づいて前記加熱手段への通電を制御する制御する制御手段と、温度検知体によって検知された定着体温度を演算する演算手段と、を備え、未定着画像を担持する記録媒体を定着体及び加圧体によって狭持搬送して加熱及び加圧することによって未定着画像を記録媒体に定着させる定着装置において、複数の温度検知体によって検知された定着体の検知温度を演算手段で演算し、その結果に応じて複数の加熱手段の中から定着体を加熱する加熱手段を選択するようにしたため、非通紙部昇温を低く抑えるとともに、発生した非通紙部昇温を速やかに緩和することができるという効果が得られる。
【図面の簡単な説明】
【図１】本発明に係る定着装置を備える画像形成装置（４色フルカラー画像形成装置）の概略構成を示す断面図である。
【図２】本発明に係る定着装置の概略構成を示す断面図である。
【図３】本発明に係る定着装置のメインヒータとサブヒータの発熱分布を示す図である。
【図４】本発明に係る定着装置におけるメインヒータとサブヒータの定着ローラ軸線方向の配置を示す図である。
【符号の説明】
１０　　　　　定着装置
１０ａ　　　　定着ローラ（定着体）
１０ｂ　　　　加圧ローラ（加圧体）
３７　　　　　メインヒータ（第１の加熱手段）
３８　　　　　サブヒータ（第２の加熱手段）
３９ａ　　　　サーミスタ（温度検知体）
３９ｂ　　　　サーミスタ（温度検知体）
４０ａ　　　　演算装置（演算手段）
４０ｂ　　　　制御装置（制御手段）
Ｐ　　　　　　記録材（記録媒体）
【図１】
2004126134.tif 000003
【図２】
2004126134.tif 000004
【図３】
2004126134.tif 000005
【図４】
2004126134.tif 000006